(57)【特許請求の範囲】
【請求項１】
電源基板、第１の基板及び第２の基板を少なくとも備え、ハーネスにより、電源基板と第１の基板とが接続され、かつ、第１の基板と第２の基板とが接続される遊技機であって、
第１の基板には、電源基板との接続に用いられる複数の端子を有する第１のコネクタ及び第２の基板との接続に用いられる複数の端子を有する第２のコネクタが設けられるとともに、第１のコネクタの複数の端子には、電源基板からの電源端子及び電源基板へのグランド端子を含み、かつ、第２のコネクタの複数の端子には、端子の配列上他の端子を介して両端部に位置する、第２の基板への電源端子及び第２の基板からのグランド端子を含み、
第２の基板には、第１の基板との接続に用いられる複数の端子を有する第３のコネクタが設けられるとともに、第３のコネクタの複数の端子には、端子の配列上他の端子を介して両端部に位置する、第１の基板からの電源端子及び第１の基板へのグランド端子を含み、
第１の基板上では、電源基板からの電源端子と第２の基板への電源端子とが電気的に接続され、かつ、第２の基板からのグランド端子と電源基板へのグランド端子とが電気的に接続され、
電源基板と第１の基板とがハーネスにより第１のコネクタを介して電気的に接続されると、電源基板における第１の基板への電源端子と第１の基板における電源基板からの電源端子とが接続されるとともに、電源基板における第１の基板からのグランド端子と第１の基板における電源基板へのグランド端子とが接続され、
第１の基板と第２の基板とがハーネスにより第２のコネクタ及び第３のコネクタを介して電気的に接続されると、第１の基板における第２の基板への電源端子と第２の基板における第１の基板からの電源端子とが接続されるとともに、第１の基板における第２の基板からのグランド端子と第２の基板における第１の基板へのグランド端子とが接続され、
第２の基板には、第１の基板からの電源端子と第１の基板へのグランド端子との間に、抵抗とともに直列に接続される接続確認手段を備えることを特徴とする遊技機。
【請求項２】
前記遊技機は、
リールを回転させる回胴装置、メダルの投入に係る投入スイッチ、スタートスイッチ、及びメダル払出装置を少なくとも備えているとともに、
第１の基板として、遊技全体の制御を司る主基板を備え、
第２の基板として、メダルの投入及びスタートスイッチの操作に係る部分の制御を担当する中央表示基板、リールの回転及び停止の制御を担当する回胴装置基板を少なくとも備え、
電源基板は、主基板への電力供給及びメダルの払出に係る部分の制御を担当するものとなっており、
主基板は電源基板と直接接続されているものの、中央表示基板及び回胴装置基板はそれぞれ主基板を介して電源基板と接続されていることを特徴とする請求項１記載の遊技機。
【発明の詳細な説明】
【０００１】
【発明の属する技術分野】
本発明は、特に弾球遊技機やスロットマシンのような遊技機の基板におけるソケットの接続に関する。
【０００２】
【従来の技術】
従来、弾球遊技機やスロットマシンのような遊技機においては、遊技を制御する主基板と、その他の基板とを両端にソケットを有するハーネスで接続されている。このようなソケットには複数のピン状あるいはリボン状の端子が設けられている。また、通常は基板側に雌コネクタ、ハーネス側に雄コネクタが設けられるが、逆の場合もある。
【０００３】
更に、このようなコネクタの接続確認は、主制御を行う装置からの出力信号及びこの装置に入力される入力信号を判定して行われていた。
【０００４】
【発明が解決しようとする課題】
上記のような遊技機では、遊技の性質上、常に振動が生じているため、時に基板のコネクタの接続がゆるんだりすることがある。
また、上記のような遊技機においては、遊技中に動作不良等の不具合が発生することがある。かかる不具合は、基板等の故障に起因することもあるが、上記のようなコネクタの接続不良に起因することも少なくない。そして、コネクタの接続不良に起因する不具合であれば、コネクタを接続し直すことで修復可能である。しかし、不具合の原因がコネクタの接続不良であるにもかかわらずこれを発見できずに、部品の交換や、時には基板の交換などをすることもあり、はなはだ不経済である。
【０００５】
また、上記のように出力信号及び入力信号によって接続確認を行うと、信号線の電流が不安定となるおそれがある。これを避けるべく接続確認用の装置を別に設けることが可能ではあるが、回路構成が煩雑となるため好ましくない。
そこで本発明は、コネクタの物理的接続が正常であるか否かを容易に確認可能とする手段を提供することを目的とする。加えて、遊技機の不具合が生じた場合に、それがコネクタの接続不良に起因するか否かを容易に判別可能とすることを目的とする。
【０００６】
【課題を解決するための手段】
（第１の発明）
上記の課題に鑑み、本発明のうち第１の発明に係る遊技機は、ソケットが接続可能なウェハが設けられた基板に接続確認手段を有し、上記ウェハと上記ソケットとの接続によって、上記接続確認手段が通電して作動することを特徴とする。
【０００７】
「遊技機」とは、弾球遊技機、スロットマシン等の、「基板」によって遊技の一部又は全部の制御がなされる遊技機をいう。
「基板」とは、電気的な回路構成を備えた板状の部材をいう。
「ソケット」と「ウェハ」とは、基板への接続に用いられる手段をいい、基板側に設けられるのを「ウェハ」、基板に対し着脱可能に設けられるのを「ソケット」という。ウェハ及びソケットには、通常、互いに嵌合しあう端子が複数設けられている。
【０００８】
「接続確認手段」とは、たとえば、通電により発光するものによって、ソケットとウェハとの接続が確認可能な手段をいう。ここで、接続確認手段が「作動」するとは、たとえば、この手段として発光手段が用いられていれば、それが発光することをいう。
すなわち、基板のウェハにソケットが接続されることによって、接続確認手段は、通電により作動することとなる。これにより、ソケットとウェハとの接続を確認することが容易となる。また、ソケットとウェハとの接続不良に起因する遊技機の不具合が生じた場合には、この接続確認手段が作動していないことにより、不具合の原因が容易に判明することとなる。
【０００９】
（第２の発明）
また、第２の発明は、第１の発明の特徴に加え、前記ウェハは、少なくとも２個の接続確認端子を含む複数の端子を有し、上記接続確認端子のうち少なくとも１個の端子に前記接続確認手段が接続され、上記ウェハと前記ソケットとが接続されることにより、上記接続確認端子どうしが当該ソケットを介して接続され、上記接続確認手段への通電が行われることを特徴とする。
【００１０】
すなわち、ウェハには上述のように通常複数の端子が設けられているが、このうちの少なくとも２本が「接続確認端子」として、接続確認手段の作動のために割り当てられることとなっている。
ここで、「ソケットを介して接続」とは、接続確認端子どうしが、ソケットを通じて電気的に閉回路を形成することをいう。
【００１１】
したがって、基板のウェハにソケットが接続されることによって、接続確認端子どうしがソケットを介して接続されることとなる。これに伴って、この接続確認端子に接続される接続確認手段は、通電により作動することとなる。これにより、ソケットとウェハとの間の端子の接触が良好であるか否かが確認可能となる。
【００１２】
（第３の発明）
また、本発明のうち第３の発明は、一端にソケットとしての主基板側ソケットを有するハーネスを介して接続が行われる主基板を備えた遊技機であって、上記主基板には、上記主基板側ソケットが接続可能なウェハとしての主基板側ウェハが設けられ、上記主基板側ウェハには、複数の端子としての主基板側ウェハ端子が設けられ、上記主基板側ウェハ端子には、少なくとも２個の、接続確認端子としての主基板側接続確認端子が設けられ、上記主基板側接続端子のうち少なくとも１個には、接続確認手段としての主基板側接続確認手段が接続されるとともに、上記主基板側ウェハと上記主基板側ソケットとが接続されることにより、上記主基板側接続確認端子どうしは同主基板側ソケットを介して接続され、これにより上記主基板側接続確認手段が通電して作動することを特徴とする。
【００１３】
「主基板」とは、遊技機に内蔵される基板のうち、遊技全体の制御を司るものをいう。この主基板には、通常、ＣＰＵが搭載されている。これがＲＯＭ等に記録された制御プログラムを実行することで、遊技が制御されることとなっている。
「ハーネス」とは、複数の電線を通常平たく束ねた接続コードであって、その両端には、これらの電線の各々に対応する複数の端子を備えた「ソケット」が設けられている。このソケットのうち、下記の主基板側ウェハに接続される方を、「主基板側ソケット」と称する。
【００１４】
「主基板側ウェハ」とは、主基板に設けられるウェハをいう。
「主基板側接続確認手段」とは、主基板側に設けられる接続確認手段であって、主基板側ウェハと主基板側ソケットとの接続を確認するものをいう。
主基板側ウェハには、複数の「主基板側ウェハ端子」が設けられ、そのうち少なくとも２個が、「主基板側接続確認端子」として、主基板側接続確認手段の作動のために割り当てられることとなっている。なお、この主基板側接続確認手段は、主基板側接続確認端子のうちの少なくとも１個に接続されている。
【００１５】
すなわち、主基板側ウェハに主基板側ソケットが接続されることによって、主基板側接続確認端子どうしが主基板側ソケットを介して接続されることとなる。ここで、「主基板側ソケットを介して接続」とは、主基板側接続確認端子どうしが、主基板ソケットを通じて電気的に閉回路を形成することをいう。なお、主基板側ソケットの端子間に他の部品や回路等が介在していても、また、端子どうしが直結されていてもよい。
【００１６】
これに伴って、この主基板側接続確認端子に接続される主基板側接続確認手段は、通電により作動することとなる。これによって、主基板側ソケットと主基板側ウェハとの間の端子の接触が良好であるか否かが確認可能となる。これに加えて、主基板側ソケットと主基板側ウェハとの接続不良に起因する遊技機の不具合が生じた場合には、この主基板側接続確認手段が作動していないことにより、不具合の原因が容易に判明することとなる。
【００１７】
（第４の発明）
更に、本発明のうち第４の発明は、一端にソケットとしての主基板側ソケットを有し、かつもう一端にソケットとしての副基板側ソケットを有するハーネスを介して接続される主基板及び副基板を備えた遊技機であって、上記主基板には、上記主基板側ソケットが接続可能なウェハとしての主基板側ウェハが設けられ、上記主基板側ウェハには、複数の端子としての主基板側ウェハ端子が設けられ、上記主基板側ウェハ端子には、少なくとも２個の、接続確認端子としての主基板側接続確認端子が設けられ、上記副基板には、上記副基板側ソケットが接続可能なウェハとしての副基板側ウェハが設けられ、上記副基板側ウェハには、複数の端子としての副基板側ウェハ端子が設けられ、上記副基板側ウェハ端子には、少なくとも２個の、接続確認端子としての副基板側接続確認端子が設けられ、上記副基板側接続端子どうしは、接続確認手段としての副基板側接続確認手段を介して接続されるとともに、上記主基板側ウェハと上記主基板側ソケットとが接続され、かつ、上記副基板側ウェハと上記副基板側ソケットとが接続されることにより、上記主基板側接続確認端子は同主基板側ソケット及び同副基板側ソケットを介して上記副基板側接続確認端子と接続され、これにより上記副基板側接続確認手段が通電して作動することを特徴とする。
【００１８】
「主基板」とは、遊技機に内蔵される基板のうち、遊技全体の制御を司るものをいう。この主基板には、通常、ＣＰＵが搭載されている。これがＲＯＭ等に記録された制御プログラムを実行することで、遊技が制御されることとなっている。
「副基板」とは、遊技機に内蔵される基板のうち、遊技機の機能の一部を担うものであって、主基板による制御に服するものをいう。
【００１９】
「ハーネス」とは、複数の電線を通常平たく束ねた接続コードであって、その両端には、これらの電線の各々に対応する複数の端子が備えれられている「ソケット」が設けられている。このソケットのうち、下記の主基板側ウェハに接続される方を、「主基板側ソケット」と称し、また、下記の副基板側ウェハに接続される方を、「副基板側ソケット」と称する。
【００２０】
「主基板側ウェハ」とは、主基板に設けられるウェハをいう。
「副基板側ウェハ」とは、副基板に設けられるウェハをいう。
「副基板側接続確認手段」とは、副基板側に設けられる接続確認手段であって、副基板側ウェハと副基板側ソケットとの接続を確認するものをいう。
主基板側ウェハには、複数の「主基板側ウェハ端子」が設けられ、そのうち少なくとも２個が、「主基板側接続確認端子」として、副基板側接続確認手段の作動のために割り当てられることとなっている。
【００２１】
一方、副基板側ウェハには、複数の「副基板側ウェハ端子」が設けられ、そのうち少なくとも２個が、「副基板側接続確認端子」として、副基板側接続確認手段の作動のために割り当てられることとなっている。なお、この副基板側接続確認手段は、副基板側接続確認端子の間に接続されている。
すなわち、主基板側ウェハに主基板側ソケットが接続され、かつ、副基板側ウェハに副基板側ソケットが接続されることによって、主基板側接続確認端子の一方は、主基板側ソケット及び副基板側ソケットを介して、副基板側接続端子の一方と接続される。また、副基板側接続端子のもう一方は、副基板側ソケット及び主基板側ソケットを介して、主基板側接続確認端子のもう一方と接続される。  したがって、副基板側接続端子間に接続されている副基板側接続確認手段は、通電により作動することとなる。これによって、副基板側ソケットと副基板側ウェハとの間の端子の接触が良好であるか否かが確認可能となる。これに加えて、副基板側ソケットと副基板側ウェハとの接続不良に起因する遊技機の不具合が生じた場合には、この副基板側接続確認手段が作動していないことにより、不具合の原因が容易に判明することとなる。
【００２２】
（第５の発明）
第５の発明は、第４の発明の特徴に加え、前記主基板側接続端子のうち少なくとも１個には、接続確認手段としての主基板側接続確認手段が接続されるとともに、上記主基板側ウェハと上記主基板側ソケットとが接続され、かつ、上記副基板側ウェハと上記副基板側ソケットとが接続されることにより、上記主基板側接続確認端子どうしは同主基板側ソケット及び同副基板側ソケットを介して上記副基板側接続確認端子と接続され、これにより上記主基板側接続確認手段が通電して作動することを特徴とする。
【００２３】
すなわち、第４の発明における副基板側接続確認手段に加え、主基板側接続確認手段が設けられることとなっている。
「主基板側接続確認手段」とは、主基板側に設けられる接続確認手段であって、主基板側ウェハと主基板側ソケットとの接続を確認するものをいう。この主基板側接続確認手段は、主基板側接続確認端子のうちの少なくとも１個に接続されている。
【００２４】
したがって、基板側ウェハに主基板側ソケットが接続され、かつ、副基板側ウェハに副基板側ソケットが接続されることによって、上述のように副基板側接続確認手段が通電により作動するのに加え、主基板側接続確認手段も通電により作動する。これによって、副基板側ソケットと副基板側ウェハとの間の端子の接触が良好であるか否かに加え、主基板側ソケットと主基板側ウェハとの間の端子の接触が良好であるか否かが確認可能となる。更に、副基板側ソケットと副基板側ウェハとの接続不良又は主基板側ソケットと主基板側ウェハとの接続不良に起因する遊技機の不具合が生じた場合には、この副基板側接続確認手段及び主基板側接続確認手段が作動していないことにより、不具合の原因が容易に判明することとなる。
【００２５】
（第６の発明）
第６の発明は、第２、第３、第４又は第５の発明の特徴に加え、前記接続確認端子のうちの少なくとも２個は、他の端子を介して位置することを特徴とする。
すなわち、接続確認端子は、ウェハ中で隣接位置にあってもよいが、接続確認端子の間に他の端子が介在していれば、接続確認端子が良好に接触していれば、介在する他の端子も良好に接触していると考えられる。
【００２６】
（第７の発明）
第７の発明は、第２、第３、第４又は第５の発明の特徴に加え、前記接続確認端子のうちの少なくとも２個は、端子の配列上最も離れた位置にあることを特徴とする。
「端子の配列上最も離れた位置にある」とは、たとえば、端子が直線状又はジグザグ状に配列されている場合には、両端に位置することをいう。また、端子が円形に配列されている場合には、直径の両端に位置することをいう。
【００２７】
すなわち、接続確認端子は、他の全ての端子を介在させ、離れて位置することとなっている。これにより、接続確認端子が良好に接触していれば、介在する他の全ての端子も良好に接触していると考えられる。
（第８の発明）
第８の発明は、第２、第３、第４、第５、第６又は第７記載の発明の特徴に加え、前記接続確認端子のうち少なくとも１個は電源端子で、かつ、少なくとも１個はグランド端子であることを特徴とする。
【００２８】
「電源端子」とは、回路構成上電源に近い方の端子をいう。
「グランド端子」とは、回路構成上グランドに近い方の端子をいう。
これにより、ウェハとソケットとの接続によって電源端子とグランド端子とが閉回路を構成することとなり、接続確認手段への通電が図られる。
（第９の発明）
第９の発明は、第１、第２、第３、第４、第５、第６、第７又は第８の発明の特徴に加え、前記接続確認手段は、通電により発光する発光手段であることを特徴とする。
【００２９】
「発光手段」とは、たとえば、発光ダイオードや、電球等をいう。
これにより、ウェハとソケットとの接続が良好な場合には、その旨が発光手段の発光により、視覚的に容易に確認されることとなる。
（第１０の発明）
第１０の発明は、第１、第２、第３、第４、第５、第６、第７、第８又は第９の発明の特徴に加え、前記ウェハは雌コネクタであるとともに、前記ソケットは雄コネクタであることを特徴とする。
【００３０】
【発明の実施の形態】
以下、図面を参照しつつ本発明の一の実施の形態について説明する。
（機能ブロック）
図２は、本実施の形態に係るスロットマシンを、機能ブロック図で示したものである。
【００３１】
本実施の形態に係るスロットマシン100においては、主基板200に、副基板としての中央表示基板300、回胴装置基板400、サブ制御基板500及び電源基板600が、ハーネスを介して接続されている。これらのハーネスのうち、主基板200と中央表示基板300とを接続するのを中央表示ハーネス350と称する。また、主基板200と回胴装置基板400とを接続するのを回胴装置ハーネス450と称する。更に、主基板200とサブ制御基板500とを接続するのをサブ制御ハーネス550と称する。加えて、主基板200と電源基板600とを接続するのを電源ハーネス650と称する。
【００３２】
中央表示基板300には、精算スイッチ360、１枚投入スイッチ365、２枚投入スイッチ370、スタートスイッチ375、３枚投入スイッチ380及び停止ボタン385が接続されている。すなわち、この中央表示基板300は、メダルの投入及びスタートレバーの操作に係る部分の制御を担当している。
回胴装置基板400は、３個のリールを回転させる回胴装置140の一部を構成している。そして、このリールを回転させる回胴モータ460と、この回転を検出する回胴センサ465とが接続されている。すなわち、この回胴装置基板400は、リールの回転及び停止の制御を担当している。
【００３３】
サブ制御基板500には、表示ランプ560とスピーカ565とが接続されている。すなわち、このサブ制御基板500は、リールの回胴以外の演出に係る部分の制御を担当している。
電源基板600には、メダル払出装置160のホッパモータ660及び払出センサ665が接続されている。加えて、交流２４Ｖ電源コンセントに接続される電源プラグ640も接続されている。すなわち、この電源基板600は、主基板200への電力供給及びメダルの払出に係る部分の制御を担当している。
【００３４】
（接続）
主基板200と上記の各副基板とは、図１に模式的に示すように、上述の各ハーネスによって接続されている。なお、図１においては、主基板200と、中央表示基板300、回胴装置基板400及び電源基板600との接続のみを表示し、他の基板との接続は省略している。また、接続確認手段に係る部分以外の回路及び端子は省略している。
【００３５】
各ハーネスの両端には、ソケットが設けられている。これらのソケットは外見上、雄コネクタとなっているが、複数の穴状のソケット端子を備えている。これらのソケットの一方は、主基板200に接続される主基板側ソケット351、451、651で、もう一方は、副基板に接続される副基板側ソケット352、452、652である。ソケットに備えられたソケット端子の数は、接続される基板によって異なっている。また、両端のソケットの間には、個々のソケット端子とそれぞれ対応した複数のコードが平たく束ねてある。
主基板200には、上記各ハーネスが接続される主基板側ウェハが設けられる。各主基板側ウェハは、外見上、上記各ハーネスのソケットが結合可能な雌コネクタとなっている。すなわち、各主基板側ウェハには、上記の穴状のソケット端子に挿入されるピン状のウェハ端子が設けられており、その数は、接続される基板によって異なっている。すなわち、これらの主基板側ウェハのうち、電源ハーネス650が接続される電源用ウェハ260は２０端子の雌コネクタとなっている。また、中央表示ハーネス350が接続される中央表示用ウェハ230は、５０端子の雌コネクタとなっている。更に、回胴装置ハーネス450が接続される回胴装置用ウェハ240は、４０端子の雌コネクタとなっている。
【００３６】
電源用ウェハ260の２０個のウェハ端子には、端から順に１番から２０番までの番号が付されている。また、中央表示用ウェハ230の５０個のウェハ端子には、端から順に１番から５０番までの番号が付されている。更に、回胴装置用ウェハ240のの４０個のウェハ端子には、端から順に１番から４０番までの番号が付されている。一方、上記の各ハーネスのソケット端子には、対応するウェハ端子と同一の番号が付されている。
【００３７】
（電源基板）
電源基板600には、電源ハーネス650が接続される電源基板ウェハ620が設けられている。この電源基板ウェハ620は、上記電源用ウェハ260のウェハ端子の番号に対応した、２０端子の雌コネクタとなっている。このうち５番と１５番のウェハ端子は、主基板200への１２Ｖ電源端子となっている。また、４番と１４番のウェハ端子は、主基板200への３０Ｖ電源端子となっている。更に、２０番のウェハ端子は、主基板200からのグランド端子となっている。
【００３８】
（主基板）
主基板200においては、電源用ウェハ260の２０個のウェハ端子のうち、５番及び１５番のウェハ端子が電源基板600からの１２Ｖ電源端子となっており、また、４番及び１４番のウェハ端子が電源基板600からの３０Ｖ電源端子となっている。加えて、２０番のウェハ端子が電源基板600へのグランド端子となっている。
【００３９】
また、主基板側ウェハとしての中央表示用ウェハ230の５０個のウェハ端子のうち、１番及び２番のウェハ端子が中央表示基板300への１２Ｖ電源端子となっており、また、５０番のウェハ端子が中央表示基板300からのグランド端子となっている。すなわち、中央表示用ウェハ230においては、１番及び２番端子並びに５０番端子が、主基板側接続確認端子として機能することとなっている。
【００４０】
更に、主基板側ウェハとしての回胴装置用ウェハ240の４０個のウェハ端子のうち、１番、２番、３番及び４番のウェハ端子が、回胴装置基板400への３０Ｖ電源端子となっており、また、４０番のウェハ端子が、回胴装置基板400からのグランド端子となっている。すなわち、回胴装置用ウェハ240においては、１番、２番、３番及び４番端子並びに４０番端子が、主基板側接続確認端子として機能することとなっている。
【００４１】
主基板200上では、電源用ウェハ260の５番端子及び１５番端子が、一旦合流した上で、中央表示用ウェハ230の１番端子及び２番端子と接続される。また、電源用ウェハ260の４番端子及び１４番端子が、一旦合流した上で、回胴装置用ウェハ240の１番端子、２番端子、３番端子及び４番端子と接続される。
一方、中央表示用ウェハ230の５０番端子は、主基板200上の、主基板側接続確認手段としての中央表示用ランプ235を介して、電源用ウェハ260の２０番端子と接続される。また、回胴装置用ウェハ240の４０番端子は、主基板200上の、主基板側接続確認手段としての回胴装置用ランプ245を介して、電源用ウェハ260の２０番端子と接続される。なお、上記の中央表示用ランプ235及び回胴装置用ランプ245としては、発光ダイオードが使用される。
【００４２】
（中央表示基板）
中央表示基板300には、中央表示ハーネス350が接続される、副基板側ウェハとしての中央表示基板ウェハ320が設けられている。この中央表示基板ウェハ320は、上記中央表示用ウェハ230のウェハ端子の番号に対応した、５０端子の雌コネクタとなっている。このうち１番及び２番のウェハ端子は、主基板200からの１２Ｖ電源端子となっている。また、５０番のウェハ端子は、主基板200へのグランド端子となっている。すなわち、中央表示基板ウェハ320においては、１番及び２番並びに５０番端子が、副基板側接続確認端子として機能することとなっている。
【００４３】
中央表示基板300上では、中央表示基板ウェハ320の１番端子及び２番端子が、一旦合流した上で、副基板側接続確認手段としての中央表示基板ランプ325を介して、５０番端子と接続される。なお、この中央表示基板ランプ325としては、発光ダイオードが使用される。
（回胴装置基板）
回胴装置基板400には、回胴装置ハーネス450が接続される、副基板側ウェハとしての回胴装置基板ウェハ420が設けられている。この回胴装置基板ウェハ420は、上記回胴装置用ウェハ240のウェハ端子の番号に対応した、４０端子の雌コネクタとなっている。このうち１番、２番、３番及び４番のウェハ端子は、主基板200からの３０Ｖ電源端子となっている。また、４０番のウェハ端子は、主基板200へのグランド端子となっている。すなわち、回胴装置基板ウェハ420においては、１番、２番、３番及び４番端子並びに４０番端子が、副基板側接続確認端子として機能することとなっている。
【００４４】
回胴装置基板400上では、回胴装置基板ウェハ420の１番端子、２番端子、３番端子及び４番端子が、一旦合流した上で、副基板側接続確認手段としての回胴装置基板ランプ425を介して、４０番端子と接続される。なお、この回胴装置基板ランプ425としては、発光ダイオードが使用される。
（回路）
上記の構成により、以下のように回路が構成されることとなる。
【００４５】
まず、電源基板ウェハ620の５番及び１５番の１２Ｖ電源端子は、電源ハーネス650を介して、主基板200の電源用ウェハ260の５番及び１５番の１２Ｖ電源端子に接続される。電源用ウェハ260の５番及び１５番端子は、主基板200上で一旦合流した上で、主基板200の中央表示用ウェハ230の１番及び２番の１２Ｖ電源端子に接続される。中央表示用ウェハ230の１番及び２番端子は、中央表示ハーネス350を介して、中央表示基板300の中央表示基板ウェハ320の１番及び２番の１２Ｖ電源端子に接続される。中央表示基板ウェハ320の１番及び２番端子は、中央表示基板300上で一旦合流した上で、中央表示基板ランプ325のアノードに接続される。この中央表示基板ランプ325のカソードは、中央表示基板ウェハ320の５０番のグランド端子に接続される。中央表示基板ウェハ320の５０番端子は、中央表示ハーネス350を介して、主基板200の中央表示用ウェハ230の５０番のグランド端子に接続される。中央表示用ウェハ230の５０番端子は、主基板200上で、中央表示用ランプ235のアノードに接続される。この中央表示用ランプ235のカソードは、主基板200の電源用ウェハ260の２０番のグランド端子に接続される。電源用ウェハ260の２０番端子は、電源ハーネス650を介して、電源基板600の電源基板ウェハ620の２０番のグランド端子に接続される。電源基板ウェハ620の２０番端子は、電源基板600上でグランドに接続される。
【００４６】
一方、電源基板ウェハ620の４番及び１４番の３０Ｖ電源端子は、電源ハーネス650を介して、主基板200の電源用ウェハ260の４番及び１４番の３０Ｖ電源端子に接続される。電源用ウェハ260の４番及び１４番端子は、主基板200上で一旦合流した上で、主基板200の回胴装置用ウェハ240の１番、２番、３番及び４番の３０Ｖ電源端子に接続される。回胴装置用ウェハ240の１番、２番、３番及び４番端子は、回胴装置ハーネス450を介して、回胴装置基板400の回胴装置基板ウェハ420の１番、２番、３番及び４番の３０Ｖ電源端子に接続される。回胴装置基板ウェハ420の１番、２番、３番及び４番端子は、回胴装置基板400上で一旦合流した上で、回胴装置基板ランプ425のアノードに接続される。この回胴装置基板ランプ425のカソードは、回胴装置基板ウェハ420の４０番のグランド端子に接続される。回胴装置基板ウェハ420の４０番端子は、回胴装置ハーネス450を介して、主基板200の回胴装置用ウェハ240の４０番のグランド端子に接続される。回胴装置用ウェハ240の４０番端子は、主基板200上で、回胴装置用ランプ245のアノードに接続される。この回胴装置用ランプ245のカソードは、主基板200の電源用ウェハ260の２０番のグランド端子に接続される。電源用ウェハ260の２０番端子は、電源ハーネス650を介して、電源基板600の電源基板ウェハ620の２０番のグランド端子に接続される。電源基板ウェハ620の２０番端子は、電源基板600上でグランドに接続される。
【００４７】
（接続の確認）
上記の回路構成により、中央表示ハーネス350の主基板側ソケット351及び副基板側ソケット352が、中央表示用ウェハ230及び中央表示基板ウェハ320にそれぞれ正しく接続されている場合には、スロットマシン100の電源投入により、中央表示基板300上の中央表示基板ランプ325及び主基板200上の中央表示用ランプ235がいずれも点灯することとなる。逆に、これらのランプがいずれも点灯しない場合には、中央表示ハーネス350のソケットの一方又は両方が正しく接続されていないことが容易に確認されることとなっている。なお、中央表示用ウェハ230及び中央表示基板ウェハ320におけるウェハ端子の配列上、主基板側接続確認端子及び副基板側接続確認端子はいずれも両端に位置することとなっている。したがって、両端の主基板側接続確認端子及び副基板側接続確認端子が正しく接続されていることが中央表示基板ランプ325及び中央表示用ランプ235で確認されることにより、これらの間に位置する他の端子はいずれも正しく接続されていることが確認されることとなる。
【００４８】
同様に、回胴装置ハーネス450の主基板側ソケット451及び副基板側ソケット452が、回胴装置用ウェハ240及び回胴装置基板ウェハ420にそれぞれ正しく接続されている場合には、スロットマシン100の電源投入により、回胴装置基板400上の回胴装置基板ランプ425及び主基板200上の回胴装置用ランプ245がいずれも点灯することとなる。逆に、これらのランプがいずれも点灯しない場合には、回胴装置ハーネス450のソケットの一方又は両方が正しく接続されていないことが容易に確認されることとなっている。なお、回胴装置用ウェハ240及び回胴装置基板ウェハ420におけるウェハ端子の配列上、主基板側接続確認端子及び副基板側接続確認端子はいずれも両端に位置することとなっている。したがって、両端の主基板側接続確認端子及び副基板側接続確認端子が正しく接続されていることが回胴装置基板側ランプ425及び回胴装置用ランプ245で確認されることにより、これらの間に位置する他の端子はいずれも正しく接続されていることが確認されることとなる。
【００４９】
なお、本実施の形態においては、電源基板600に対応する接続確認手段は特に設けられていない。これは、電源ハーネス650の主基板側ソケット651及び副基板側ソケット652が、主基板200の電源用ウェハ260及び電源基板600の電源基板ウェハ620とそれぞれ正しく接続されていなければ、スロットマシン100の電源投入がそもそも不可能だからである。ただし、上記と同様の接続確認手段を、主基板200上又は電源基板600上に設けることも可能である。
【００５０】
（その他）
上記の実施の形態においては、主基板200側及び副基板側の両方に、接続確認手段を設けることとしているが、これはいずれか一方のみでも接続確認の機能を果たすことが可能である。
また、ソケット及びウェハにおける雄雌の組合せは上記の実施の形態に限定されず、様々なものが可能である。
【００５１】
【発明の効果】
上記の構成により本発明は、以下に記す効果を奏する。
すなわち、内部の基板がコネクタにより接続される遊技機において、コネクタの物理的接続が正常であるか否かが容易に確認可能となる。加えて、遊技機の不具合が生じた場合に、それがコネクタの接続不良に起因するか否かが容易に判別可能となる。
【図面の簡単な説明】
【図１】  主基板と他の副基板との接続を示す模式図である。なお、接続確認に係る回路以外の回路及び端子は省略してある。
【図２】  本実施の形態に係るスロットマシンの機能ブロック図である。
【符号の説明】
100 スロットマシン
140 回胴装置            160 メダル払出装置
200 主基板
230 中央表示用ウェハ    235 中央表示用ランプ
240 回胴装置用ウェハ    245 回胴装置用ランプ
260 電源用ウェハ
300 中央表示基板
320 中央表示基板ウェハ
325 中央表示基板ランプ
350 中央表示ハーネス
351 主基板側ソケット    352 副基板側ソケット
360 精算スイッチ        365 １枚投入スイッチ
370 ２枚投入スイッチ    375 スタートスイッチ
380 ３枚投入スイッチ    385 停止ボタン
400 回胴装置基板
420 回胴装置基板ウェハ
425 回胴装置基板ランプ
450 回胴装置ハーネス
451 主基板側ソケット    452 副基板側ソケット
460 回胴モータ          465 回胴センサ
500 サブ制御基板
550 サブ制御ハーネス
560 表示ランプ          565 スピーカ
600 電源基板
620 電源基板ウェハ      640 電源プラグ
650 電源ハーネス
651 主基板側ソケット    652 副基板側ソケット
660 ホッパモータ        665 払出センサ
【図１】
0004514071.tif 000002
【図２】
0004514071.tif 000003